(57)【要約】【課題】本発明は、安定した動作が可能で、呼出信号の検知精度を向上させることができる画像通信装置を提供する。【解決手段】ＭＯＤＥＭ２とＤＡＡ３を備えるファクシミリ装置１では、出荷時に設定される仕向け先の国コードに対応する規格の呼出信号を検知する呼出信号検知部７と、呼出信号検知部７で検知できない検知範囲の呼出信号を検知する外付け呼出信号検知回路５と、外付け呼出信号検知回路５の実装有無を検知する実装有無検知回路１７とを備え、外付け呼出信号検知回路５が実装されている場合、外付け呼出信号検知回路５により呼出信号の検知を行うように設定する。【選択図】図２
2012044594.tif 000002
【特許請求の範囲】
【請求項１】
画像データを変復調する変復調手段と公衆回線に接続するための半導体ＤＡＡとを含む通信手段を備える画像通信装置であって、
前記画像通信装置の仕向け先の国コードを設定するための国コード設定手段と、
前記国コード設定手段により設定された国コードに対応する規格の呼出信号を検知する第１の呼出信号検知手段と、
前記第１の呼出信号検知手段で検知できない範囲の呼出信号を検知可能な第２の呼出信号検知手段の実装有無を検知する実装有無検知手段と、
前記実装有無検知手段による検知結果から前記第２の呼出信号検知手段が実装されていると判断した場合、当該第２の呼出信号検知手段により呼出信号の検知を行うように設定する制御手段とを備えることを特徴とする画像通信装置。
【請求項２】
前記制御手段は、前記国コード設定手段により設定された国コードに対して、実装された前記第２の呼出信号検知手段が適正かどうかを確認し、組み合わせが誤っていると判定した場合には、表示手段にエラー表示を行うことを特徴とする請求項１記載の画像通信装置。
【請求項３】
画像データを変復調する変復調手段と公衆回線に接続するための半導体ＤＡＡとを含む通信手段を備える画像通信装置であって、
前記画像通信装置の仕向け先の国コードを設定するための国コード設定手段と、
前記国コード設定手段により設定された国コードに対応する規格の呼出信号を検知する第１の呼出信号検知手段と、
前記第１の呼出信号検知手段で検知できない範囲の呼出信号を検知可能な第２の呼出信号検知手段と、
前記国コード設定手段により設定された国コードに応じて、前記第１の呼出信号検知手段を使用するか、前記第２の呼出信号検知手段を使用するかを判断する制御手段とを備えることを特徴とする画像通信装置。
【請求項４】
前記第１の呼出信号検知手段は、前記変復調手段または前記半導体ＤＡＡに内蔵されることを特徴とする請求項１乃至３のいずれか１項に記載の画像通信装置。
【請求項５】
消費電力を低減するためのスリープモードへ移行するスリープ移行手段と、
前記呼出信号の受信に応じてスリープモードから復帰する復帰手段とを更に備え、
前記制御手段は、前記第１の呼出信号検知手段により呼出信号が検知された場合は、前記変復調手段をスリープモードから復帰させた後に、当該制御手段をスリープモードから復帰させ、前記第２の呼出信号検知手段により呼出信号が検知された場合は、当該制御手段をスリープモードから復帰させた後、前記変復調手段をスリープモードから復帰させることを特徴とする請求項１乃至４のいずれか１項に記載の画像通信装置。
【請求項６】
画像データを変復調する変復調手段と公衆回線に接続するための半導体ＤＡＡとを含む通信手段を備える画像通信装置の制御方法であって、
前記画像通信装置の仕向け先の国コードを設定するための国コード設定工程と、
第１の呼出信号検知手段が、前記国コード設定工程にて設定された国コードに対応する規格の呼出信号を検知する第１の呼出信号検知工程と、
実装有無検知手段が、前記第１の呼出信号検知手段で検知できない範囲の呼出信号を検知可能な第２の呼出信号検知手段の実装有無を検知する実装有無検知工程と、
前記実装有無検知手段による検知結果から前記第２の呼出信号検知手段が実装されていると判断した場合、当該第２の呼出信号検知手段により呼出信号の検知を行うように設定する制御工程とを備えることを特徴とする制御方法。
【請求項７】
画像データを変復調する変復調手段と公衆回線に接続するための半導体ＤＡＡとを含む通信手段を備える画像通信装置の制御方法であって、
前記画像通信装置の仕向け先の国コードを設定するための国コード設定工程と、
第１の呼出信号検知手段が、前記国コード設定工程にて設定された国コードに対応する規格の呼出信号を検知する第１の呼出信号検知工程と、
第２の呼出信号検知手段が、前記第１の呼出信号検知手段で検知できない範囲の呼出信号を検知可能な第２の呼出信号検知工程と、
前記国コード設定工程にて設定された国コードに応じて、前記第１の呼出信号検知手段を使用するか、前記第２の呼出信号検知手段を使用するかを判断する制御工程とを備えることを特徴とする制御方法。
【請求項８】
請求項６または７に記載の画像通信装置の制御方法をコンピュータに実行させるためのプログラム。
【発明の詳細な説明】
【技術分野】
【０００１】
本発明は、画像通信装置及びその制御方法、並びにプログラムに関し、特に、ファクシミリ通信用のＭＯＤＥＭと半導体化されたＤＡＡを備えた画像通信装置及びその制御方法、並びにプログラムに関する。
【背景技術】
【０００２】
近年、ファクシミリ通信用ＭＯＤＥＭと電話回線とのインターフェースとして、半導体化されたデータアクセス装置（Data Access Arrangement：以下「ＤＡＡ」と呼ぶ。）が用いられている。ＤＡＡは、ＮＣＵ（網制御ユニット）と同じ役割を果たし、半導体ＩＣで構成されているため、一部ではＳＤＡＡ（Silicon DAA）とも呼ばれる。ファクシミリ装置における通信部は、ＭＯＤＥＭとＤＡＡとデスクリート部品で構成されている。
【０００３】
また、ＭＯＤＥＭとＤＡＡには、ファクシミリ通信に関して国毎に異なるＰＴＴ規格に対応するために国コードを設定することができるものがある。
【０００４】
特許文献１では、呼出信号が規格外の歪みや電圧振幅を有する環境下に通信制御装置が設置されたとき、正常動作する範囲がより広い通信制御装置を提供することを可能にしている。
【先行技術文献】
【特許文献】
【０００５】
【特許文献１】特開２００８−１９３４９３号公報
【発明の概要】
【発明が解決しようとする課題】
【０００６】
従来のＭＯＤＥＭとＤＡＡには、呼出信号の電圧検出機能及びケーデンス検出機能を内蔵している。そして、例えば、ファクシミリ装置内のＭＯＤＥＭに対して国コードが設定されると、その国の規格値が設定される。この規格値に基づいてＭＯＤＥＭが呼出信号の検出を判定して結果を出力する。
【０００７】
しかしながら、上述した規格値は国毎に異なることから、呼出信号の電圧検出機能による検出電圧範囲と、ケーデンス検出機能によるケーデンスの検出タイミングが厳しく、呼出信号が検出できないか又は誤検知するおそれがある。
【０００８】
本発明は、上記問題に鑑みて成されたものであり、安定した動作が可能で、呼出信号の検知精度を向上させることができる技術を提供することを目的とする。
【課題を解決するための手段】
【０００９】
上記目的を達成するために、本発明の画像通信装置は、画像データを変復調する変復調手段と公衆回線に接続するための半導体ＤＡＡとを含む通信手段を備える画像通信装置であって、前記画像通信装置の仕向け先の国コードを設定するための国コード設定手段と、前記国コード設定手段により設定された国コードに対応する規格の呼出信号を検知する第１の呼出信号検知手段と、前記第１の呼出信号検知手段で検知できない範囲の呼出信号を検知可能な第２の呼出信号検知手段の実装有無を検知する実装有無検知手段と、前記実装有無検知手段による検知結果から前記第２の呼出信号検知手段が実装されていると判断した場合、当該第２の呼出信号検知手段により呼出信号の検知を行うように設定する制御手段とを備えることを特徴とする。
【発明の効果】
【００１０】
本発明によれば、ＭＯＤＥＭ内蔵の呼出信号検知部と外付け呼出信号検知回路を併用することにより、呼出信号の検知精度が上がり、安定動作が可能となる。
【図面の簡単な説明】
【００１１】
【図１】本発明の第１の実施形態に係る画像通信装置の一例であるファクシミリ装置の概略構成を示すブロック図である。
【図２】図１の通信部の概略構成を示すブロック図である。
【図３】呼出信号の波形の一例を示す図である。
【図４】第１の実施形態における呼出信号の検出動作の流れを示すフローチャートである。
【図５】本発明の第２の実施形態における通信部の概略構成を示すブロック図である。
【図６】第２の実施形態における呼出信号の検出動作の流れを示すフローチャートである。
【図７】外付け呼出信号検知回路を実装しない場合の通信部の概略構成を示す図である。
【発明を実施するための形態】
【００１２】
以下、本発明の実施の形態を図面を参照して詳細に説明する。
【００１３】
［第１の実施形態］
まず、本発明の第１の実施形態に係る画像通信装置について説明する。
【００１４】
図１は、本発明の第１の実施形態に係る画像通信装置の一例であるファクシミリ装置の概略構成を示すブロック図である。なお、本実施形態では、ファクシミリ装置について説明するが、ファクシミリ通信機能を持った画像通信装置であれば、どのような形態であってもよい。特に、ファクシミリ通信に関するＰＴＴ規格は各国によって異なるため、このような各国対応を要求される画像通信装置に適用されるものである。
【００１５】
図１において、ファクシミリ装置１は、制御部１０と、メモリ部１１と、読取部１２と、印刷部１３と、通信部１４と、操作部１６と、バス２３とを備える。
【００１６】
制御部１０は、システム制御用ＬＳＩやＣＰＵから構成され、メモリ部１１に含まれるＲＯＭ２０に記憶されているプログラムに従って装置全体を制御する。ＲＯＭ２０は、フラッシュメモリやマスクＲＯＭ（Read Only Memory）で構成され、システムを制御するためのプログラムが記憶されている。ＲＡＭ２１は、ＤＲＡＭ（Dynamic Random Access Memory）やＳＲＡＭ（Static Random Access Memory）で構成され、各種データが記憶される。不揮発性メモリ２２は、ファクシミリ装置の電源が遮断された場合でも記憶内容が保持されるメモリであり、例えば、通信先の名称やダイヤル情報、通信結果等が保存される。
【００１７】
読取部１２は、制御部１０の制御によって、不示図のＣＣＤやＣＭＯＳラインセンサを用いて原稿から画像データを読み取る。読み取った画像データは画像処理され、ＲＡＭ２１や不揮発性メモリ２２に格納される。印刷部１３は、制御部１０の制御によって、ＲＡＭ２１又は不揮発性メモリ２２から画像データを読み出し、当該画像データに基づいて印刷出力する。操作部１６は、入力用のスイッチやボタン、表示器等から構成され、各種動作モードのオペレーションが行われるものである。
【００１８】
通信部１４は、外部の電話回線４と電話機１５に接続され、ファクシミリ通信制御に必要なＭＯＤＥＭや半導体ＤＡＡ、回線制御のデスクリート部品で構成される。電話回線４は、公衆回線又は変換器を介して公衆回線に接続された電話回線である。
【００１９】
図２は、図１の通信部１４の概略構成を示すブロック図である。
【００２０】
ＭＯＤＥＭ２は、変復調手段として、ＩＴＵＴの勧告に合致するＧ３モデム（不図示）と、これらモデムに接続されたクロック発生回路（不図示）などによって構成される。ＭＯＤＥＭ２は、制御部１０の制御に基づいて、ＲＡＭ２１や不揮発性メモリ２２に格納されている送信データを変調し、ＤＡＡ３を介して電話回線４に出力する。また、電話回線４からファクシミリ通信の受信データを復調し、ＲＡＭ２１や不揮発性メモリ２２に格納する。
【００２１】
また、ＭＯＤＥＭ２は次の機能を備える。すなわち、ＤＡＡ３と接続するためのＤＡＡインターフェース、ファクシミリ装置１内のバス２３と接続するためのＳｅｒｉａｌインターフェース、画像データ変復調、通信手順制御等である。さらに、ＭＯＤＥＭ２は、Ｃｏｍｍａｎｄセットを用いた制御系を備え、Ｓｕｐｅｒ−Ｇ３  ＦＡＸに対応している。
【００２２】
また、ＭＯＤＥＭ２は、電話回線４から着信したアナログ信号をＤＡＡ３を介して入力し、当該信号を復調する。そして、ＪＢＩＧ等の画像形態でファクシミリ装置１内のＲＡＭ２１又は不揮発性メモリ２２へ格納する。
【００２３】
また、ＭＯＤＥＭ２は、スリープ移行手段としてスリープモード機能を備え、所定のコマンドを実行することでスリープモードに移行する。スリープモードでは、ファクシミリ装置１の必要な部分だけに電力を供給し、ほとんど全ての電源をオフして待機時の消費電力を低減する。ファクシミリ装置１がスリープモードに移行するときには、制御部１０のＣＰＵからＭＯＤＥＭ２に当該所定のコマンドを送ることでＭＯＤＥＭ２もスリープモードに移行する。また、ＭＯＤＥＭ２は、スリープモードからの復帰手段として、呼出信号、ＯＦＦ−ＨＯＯＫなどにより、スリープモードから復帰する。
【００２４】
ＤＡＡ３は、半導体化されたデータアクセス装置（Data Access Arrangement：ＤＡＡ）である。ＤＡＡ３には次の機能を備える。すなわち、ＤＣ終端（回線捕捉）、ＡＣ終端、呼出信号の電圧検知、回線間インピーダンス調整機能、Ｉｓｏｌａｔｉｏｎインターフェースなどである。
【００２５】
ＭＯＤＥＭ２とＤＡＡ３との間を接続する各コンデンサ８は、アイソレーションを目的としている。
【００２６】
ＭＯＤＥＭ２とＤＡＡ３には、それぞれ呼出信号検知部７が内蔵されている。呼出信号検知部７は、第１の呼出信号検知手段として、ＭＯＤＥＭ２とＤＡＡ３に設定された設定値に基づいて呼出信号の検出を行う。各呼出信号検知部７については、電圧レベル検知がＤＡＡ３、ケーデンス検知がＭＯＤＥＭ２で行われている。
【００２７】
呼出信号は、各国で規格が異なるため、ＭＯＤＥＭ２とＤＡＡ３に内蔵された呼出信号検知部７では検知できない場合がある。この場合は、通信部１４に対して外部から実装可能に構成された外付け呼出信号検知回路５を使用する。呼出信号の波形の一例を図３に示す。
【００２８】
図３において、３０は、電話回線４の回線間において、所定周期で正弦波状に変化する回線電圧であって交換機から送られる呼出信号である。３２は、呼出信号３０の電圧レベルの閾値である。３１は、外付け呼出信号検知回路５の出力信号である認識信号である。３３は、認識信号３１の断続であるケーデンス信号である。
【００２９】
外付け呼出信号検知回路５は、電話回線４から着信した呼出信号３０を直接受け、呼出信号３０の電圧レベルが所定の閾値以上の場合、呼出信号に基づいて方形波の認識信号３１を出力し、この認識信号３１を制御部１０の所定の入力ポートへ送る。制御部１０は、ポートに入力された認識信号３１のケーデンス信号３３を計測する。
【００３０】
ここで、呼出信号検知部７における誤検知の一例を説明する。
【００３１】
ＤＡＡ３の電圧検知範囲の定格としては、後述のように、検知範囲Ａと検知範囲Ｂが選択できる。検知範囲Ａ，Ｂ共にｍａｘ値以上での電圧検知を保証しているが、Ｍｉｎ値以下での電圧については検知しない。
【００３２】
また、国の規格値には、検知範囲のＭｉｎ値〜ｍａｘ値の間に閾値が必要である。例えば、ロシアの規格では、後述するように、１５Ｖｒｍｓ〜２５Ｖｒｍｓに閾値があること、１５Ｖｒｍｓ未満は非検知であること、等が規定されている。
【００３３】
しかしながら、ロシアの規格では、ＤＡＡ３の検知範囲がＡであっても１５Ｖｒｍｓ未満で誤検知してしまう可能性がある。一方、ＤＡＡ３の検知範囲がＢの場合では、２０Ｖｒｍｓが検知できない可能性がある。
【００３４】
以上のことから、ＤＡＡ３に内蔵されている呼出信号検知部７では、呼出信号を正確に検知できないおそれがある。さらに、上記以外に、呼出信号のパターンは、画像通信装置の仕様により、以下のように選択可能となっている。また、ＭＯＤＥＭ２で以下のパターンを全て検知できない可能性もある。
・ＤＡＡの電圧検知範囲の定格値
検知範囲Ａ，Ｂを選択可能
検知範囲Ａ：１２Ｖｒｍｓ（ｍｉｎ）から１８Ｖｒｍｓ（ｍａｘ）の間に閾値がある。
【００３５】
検知範囲Ｂ：１８Ｖｒｍｓ（ｍｉｎ）から２５Ｖｒｍｓ（ｍａｘ）の間に閾値がある。
・ロシアの規格例
１５Ｖｒｍｓから２５Ｖｒｍｓに閾値があること。
【００３６】
２０Ｖｒｍｓは検知できること。
【００３７】
１５Ｖｒｍｓ未満は非検知であること。
・呼出信号のパターン選択機能で以下のパターンの例
ＤＲＰＤ（Ｄｉｓｔｉｎｔｉｖｅ  Ｒｉｎｇ  Ｐａｔｔｅｒｎ）の機能でｄｏｕｂｌｅ  ｒｉｎｇ，ｓｈｏｒｔ−ｓｈｏｒｔ−ｌｏｎｇ，ｓｈｏｒｔ−ｌｏｎｇ−ｓｈｏｒｔ，ｏｔｈｅｒ  ｒｉｎｇ  ｔｙｐｅ，ｎｏｒｍａｌ  ｒｉｎｇがある。
【００３８】
そこで、外付け呼出信号検知回路５は、第２の呼出信号検知手段として、ＭＯＤＥＭ２等に内蔵された呼出信号検知部７が検知できない検知範囲の呼出信号を検知するための呼出信号検知回路である。
【００３９】
外付け呼出信号検知回路５が実装されていない場合、図７に示すように、呼出信号検知部７で検知される呼出信号の流れは点線９で示したようになる。すなわち、電話回線４から着信した呼出信号は、ＤＡＡ３で所定の閾値以上であると判定された場合、その出力波がＭＯＤＥＭ２へ伝わる。そして、ＭＯＤＥＭ２でケーデンス信号の計測が行われる。ＭＯＤＥＭ２は、ケーデンス信号が所定値内と判断された場合、制御部１０へステータスで知らせる。
【００４０】
一方、外付け呼出信号検知回路５が実装されている場合、図２に示すように、呼出信号の流れは点線１９で示したようになる。すなわち、電話回線４から着信した呼出信号は、ＤＡＡ３と外付け呼出信号検知回路５の両方に入力されるが、外付け呼出信号検知回路５のみで検知が行われる。電話回線４から外付け呼出信号検知回路５へ入力された呼出信号は、所定の閾値以上のみ方形波で出力される。方形波は、制御部１０の所定のポートに入力され、制御部１０のＣＰＵ（不図示）の制御でケーデンス信号が計測される。
【００４１】
図２において、外付け呼出信号検知回路の実装有無検知回路１７（以下、単に「実装有無検知回路１７」とする）は、外付け呼出信号検知回路５の実装有無を検知するための回路である。制御部１０は、実装有無検知回路１７からの出力信号６を監視することで、外付け呼出信号検知回路５の実装の有無を判断する。また、制御部１０は、外付け呼出信号検知回路５が実装されている場合は、仕向け先である各国の規格値に基づいて、外付け呼出信号検知回路５の出力信号を監視し、呼出信号のケーデンス信号の計測を行う。
【００４２】
次に、図２の通信部１４における呼出信号の検出動作について図４のフローチャートを用いて説明する。
【００４３】
図４は、第１の実施形態における呼出信号の検出動作の流れを示すフローチャートである。
【００４４】
ファクシミリ装置１では、制御部１０のＣＰＵの実行によってＭＯＤＥＭ２をコマンド制御するものである。
【００４５】
まず、制御部１０のＣＰＵ（不図示）は、国コード設定手段として機能することにより、ＭＯＤＥＭ２へ仕向け先の国コードを設定する（ステップＳ２）。
【００４６】
次に、制御部１０のＣＰＵは、実装有無検知回路１７により外付け呼出信号検知回路５の実装有無を検知させ、その検知結果から外付け呼出信号検知回路５が実装されているか否かを判断する。外付け呼出信号検知回路５が実装されていると判断した場合、ステップＳ４へ移行する。ステップＳ４では、制御部１０のＣＰＵは、設定された国コードに対して、実装された外付け呼出信号検知回路５が適正かどうかを確認し、組み合わせが誤っていると判定した場合は、操作部１６の表示手段にエラー表示を行い、ユーザに通知する。
【００４７】
一方、設定された国コードと、実装された外付け呼出信号検知回路５の組み合わせが正しいと判断した場合、制御部１０のＣＰＵは、外付け呼出信号検知回路５で呼出信号を検知するように設定し、呼出信号の検知を行う（ステップＳ５）。外付け呼出信号検知回路５は、所定の閾値以上の呼出信号であれば出力する。そのため、制御部１０のＣＰＵは、内蔵するシステムＬＳＩの割り込み機能付きの入力ポートに外付け呼出信号検知回路５の出力信号が入力されると割り込みが入り、スリープモードから復帰する（ステップＳ６）。このとき、システムがスリープモードから復帰した後に、ＭＯＤＥＭ２がスリープモードから復帰する。ここでいうシステムは制御部１０である。
【００４８】
次に、ステップＳ９では、制御部１０のＣＰＵは、外付け呼出信号検知回路５の出力信号の計測を行い、所定の規格値を満足しているかを判断して、呼出信号か否かを判定する。この結果、呼出信号であると判定されたときは（ステップＳ９でＹＥＳ）、ＦＡＸ受信処理を行う（ステップＳ１０）。一方、呼出信号ではないと判定されたときは、ステップＳ２へ戻る。
【００４９】
ステップＳ３において外付け呼出信号検知回路５が未実装と判断した場合、制御部１０のＣＰＵは、ＭＯＤＥＭ２とＤＡＡ３の呼出信号検知部７により検知するように設定し、呼出信号の検知を行う（ステップＳ７）。ファクシミリ装置１がスリープ状態にある場合は、ＭＯＤＥＭ２とＤＡＡ３で電圧とケーデンスを検知し、ＭＯＤＥＭ２に登録されている定格範囲によって検知が行われる。呼出信号が定格範囲であればＭＯＤＥＭ２はスリープモードから復帰する。ＭＯＤＥＭ２は、スリープモードからの復帰と同時に制御部１０に対して起動信号を出力する。起動信号によって、制御部１０が復帰してシステムを起動させる（ステップＳ８）。
【００５０】
ステップＳ９では、制御部１０のＣＰＵは、呼出信号検知部７の出力信号のケーデンスが所定の規格値を満足しているかを判断して、呼出信号か否かを判定する。この結果、呼出信号と判定されたときは、ＦＡＸ受信処理を行う（ステップＳ１０）。一方、呼出信号でないと判定されたときは、ステップＳ２へ戻る。
【００５１】
第１の実施形態によれば、ファクシミリ装置１では、通信部１４に外付け呼出信号検知回路５が実装されている場合、外付け呼出信号検知回路５により呼出信号の検知を行うように設定する。このように、ＭＯＤＥＭ内蔵の呼出信号検知部と外付け呼出信号検知回路を併用することにより、呼出信号の検知精度が上がり、安定動作が可能となる。また、呼出信号検知部のみで検知可能な場合は、外付け呼出信号検知回路を未実装とすることでコストダウンが可能となる。
【００５２】
［第２の実施形態］
次に、第２の実施形態について説明する。なお、本発明の第２の実施の形態に係る画像通信装置は、その構成（図１）が上記第１の実施の形態に係る画像通信装置と同じであり、第１の実施の形態と同様の部分については、同一の符号を用いてその説明を省略する。以下に、上記第１の実施の形態と異なる点のみを説明する。
【００５３】
図５は、本発明の第２の実施形態における通信部１４の概略構成を示すブロック図である。
【００５４】
図５に示す通信部１４は、図２に示す通信部１４に対して、外付け呼出信号検知回路５が常時実装され、実装有無検知回路１７が省略されている点が異なる。それ以外の構成要素については、図２に示す通信部１４と同様なので、それらの説明は省略する。
【００５５】
本実施形態では、制御部１０のＣＰＵは、国コードに応じて、２つの呼出信号検知回路を選択して使用する。すなわち、ＭＯＤＥＭ２とＤＡＡ３に内蔵された呼出信号検知部７で検知できない呼出信号の規格値の場合は、外付け呼出信号検知回路５が選択されて使用される。呼出信号の規格値は国コードにより決まるので、出荷時に設定された国コードに応じて、呼出信号検知部７を使用するか、外付け呼出信号検知回路５を使用するかが判断される。
【００５６】
次に、図５の通信部１４における呼出信号の検出動作について図６のフローチャートを用いて説明する。
【００５７】
図６は、第２の実施形態における呼出信号の検出動作の流れを示すフローチャートである。
【００５８】
まず、制御部１０のＣＰＵ（不図示）は、国コード設定手段として機能することにより、ＭＯＤＥＭ２へ仕向け先の国コードを設定する（ステップＳ１２）。また、制御部１０のＣＰＵは、ファクシミリ装置１内の不揮発性メモリ２２に国コードを記憶させる。
【００５９】
次に、ステップＳ１３では、制御部１０のＣＰＵは、国コードに応じて、呼出信号回路を選択する。例えば、国コードＡが選択された場合は、制御部１０のＣＰＵは、外付け呼出信号検知回路５で検知するように設定し、呼出信号の検知を行う（ステップＳ１４）。外付け呼出信号検知回路５は、所定の閾値以上の呼出信号であれば出力する。そのため、制御部１０のＣＰＵは、内蔵するシステムＬＳＩの割り込み機能付きの入力ポートに外付け呼出信号検知回路５の出力信号が入力されると割り込みが入り、スリープモードから復帰する（ステップＳ１５）。このとき、システムがスリープモードから復帰した後に、ＭＯＤＥＭ２がスリープモードから復帰する。
【００６０】
次に、ステップＳ１８では、制御部１０のＣＰＵは、外付け呼出信号検知回路５の出力信号の計測を行い、所定の規格値を満足しているかを判断して、呼出信号か否かを判定する（ステップＳ１８）。この結果、呼出信号であると判定されたときは（ステップＳ１８でＹＥＳ）、ＦＡＸ受信処理を行う（ステップＳ１９）。一方、呼出信号ではないと判定されたときは、ステップＳ１２へ戻る。
【００６１】
ステップＳ１３において国コードＢが選択された場合は、制御部１０のＣＰＵは、ＭＯＤＥＭ２とＤＡＡ３の呼出信号検知部７により検知するように設定し、呼出信号の検知を行う（ステップＳ１６）。ファクシミリ装置１がスリープ状態にある場合は、ＭＯＤＥＭ２とＤＡＡ３で電圧とケーデンスを検知し、ＭＯＤＥＭ２に登録されている定格範囲によって検知が行われる。呼出信号が定格範囲であればＭＯＤＥＭ２はスリープモードから復帰する。ＭＯＤＥＭ２は、スリープモードからの復帰と同時に制御部１０に対して起動信号を出力する。起動信号によって、制御部１０が復帰してシステムを起動させる（ステップＳ１７）。
【００６２】
ステップＳ１８では、制御部１０のＣＰＵは、呼出信号検知部７の出力信号のケーデンスが所定の規格値を満足しているかを判断して、呼出信号か否かを判定する。この結果、呼出信号と判定されたときは、ＦＡＸ受信処理を行う（ステップＳ１０）。一方、呼出信号ではないと判定されたときは、ステップＳ２へ戻る。
【００６３】
第２の実施形態によれば、ファクシミリ装置１は、出荷時に設定される仕向け先の国コードに対応する規格の呼出信号を検知する呼出信号検知部７と、呼出信号検知部７で検知できない検知範囲の呼出信号を検知する外付け呼出信号検知回路５を備える。そして、設定された国コードに応じて、呼出信号検知部７を使用するか、外付け呼出信号検知回路５を使用するかを判断する。このように、ＭＯＤＥＭ内蔵の呼出信号検知部と外付け呼出信号検知回路を併用することにより、呼出信号の検知精度が上がり、安定動作が可能となる。
【００６４】
上記第１、第２の実施形態では、国コードの設定を出荷時等に行うように説明しているが、これに限定されるものではなく、いつ行ってもよい。
【００６５】
また、呼出信号に含まれる国コードに基づいて、国コードを設定するように構成してもよい。
【００６６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６７】
１  ファクシミリ装置
２  ＭＯＤＥＭ
３  ＤＡＡ
４  電話回線
５  外付け呼出信号検知回路
６  外付け呼出信号検知回路の実装有無検知回路
７  呼出信号検知部
１４  通信部
【図１】
2012044594.tif 000003
【図２】
2012044594.tif 000004
【図３】
2012044594.tif 000005
【図４】
2012044594.tif 000006
【図５】
2012044594.tif 000007
【図６】
2012044594.tif 000008
【図７】
2012044594.tif 000009